(57)【要約】【課題】  装置本体に対するアクセサリーの着脱における使い勝手の向上を図る。【解決手段】  装置本体に設けられたマウント部に結合される結合部と操作されて所定の方向へ動作される操作レバーと操作レバーを支持するボデイとを備え、装置本体に対して位置合わせを行い全体を回転させることにより結合部をマウント部に結合して装置本体に装着するバヨネット結合方式と装置本体に対して位置合わせを行い操作レバーを操作することにより結合部をマウント部に結合して装置本体に装着するスピゴット結合方式との選択が可能とされた。【選択図】        図２
2013092556.tif 000002
【特許請求の範囲】
【請求項１】
装置本体に設けられたマウント部に結合される結合部と操作されて所定の方向へ動作される操作レバーと前記操作レバーを支持するボデイとを備え、
前記装置本体に対して位置合わせを行い全体を回転させることにより結合部をマウント部に結合して前記装置本体に装着するバヨネット結合方式と前記装置本体に対して位置合わせを行い前記操作レバーを操作することにより前記結合部を前記マウント部に結合して前記装置本体に装着するスピゴット結合方式との選択が可能とされた
アクセサリー。
【請求項２】
前記装置本体に対する前記位置合わせの指標を前記操作レバーに設けた
請求項１に記載のアクセサリー。
【請求項３】
前記結合部が前記ボデイに回転自在に支持され、
前記操作レバーと前記結合部が一体に回転可能とされ、
前記ボデイの回転に伴って前記操作レバーと前記結合部が一体に回転されて前記バヨネット結合方式によって前記結合部が前記マウント部に結合されるようにし、
前記操作レバーの操作により前記操作レバーと前記結合部が一体に回転されて前記スピゴット結合方式によって前記結合部が前記マウント部に結合されるようにした
請求項１に記載のアクセサリー。
【請求項４】
前記装置本体に設けられた規制部に係合されて前記装置本体に対する位置を規制する被規制部が設けられ、
前記結合部が前記マウント部に結合されて前記装置本体に装着されたときに、前記被規制部が前記規制部に係合されて前記装置本体に対する位置が規制されるようにした
請求項１に記載のアクセサリー。
【請求項５】
前記操作レバーが前記ボデイに対してロックされるロック位置と前記ボデイに対して回転可能とされる非ロック位置との間で操作可能とされ、
前記操作レバーが前記ロック位置に存在する状態において、前記バヨネット結合方式によって前記結合部が前記マウント部に結合されて前記装置本体に装着されるようにした
請求項３に記載のアクセサリー。
【請求項６】
前記操作レバーが前記ボデイに対してロックされるロック位置と前記ボデイに対して回転可能とされる非ロック位置との間で操作可能とされ、
前記操作レバーが操作されて前記ロック位置まで移動されて前記スピゴット結合方式によって前記結合部が前記マウント部に結合されて前記装置本体に装着されるようにした
請求項３に記載のアクセサリー。
【請求項７】
前記操作レバーの移動に伴って移動されるクリック球と、
前記クリック球が転動される転動面を有し前記クリック球が嵌合可能な嵌合凹部が形成された固定部と、
前記クリック球を前記転動面に押し付ける付勢バネとを設け、
前記操作レバーが前記ロック位置に移動されたときに前記クリック球が前記嵌合凹部に嵌合されるようにした
請求項６に記載のアクセサリー。
【請求項８】
マウント部が設けられた装置本体と、
前記マウント部に結合される結合部と操作されて所定の方向へ動作される操作レバーと前記操作レバーを支持するボデイとを有するアクセサリーとを備え、
前記装置本体に対して前記アクセサリーの位置合わせを行い全体を回転させることにより結合部をマウント部に結合して前記装置本体に装着するバヨネット結合方式と前記装置本体に対して前記アクセサリーの位置合わせを行い前記操作レバーを操作することにより前記結合部を前記マウント部に結合して前記装置本体に装着するスピゴット結合方式との選択が可能とされた
撮像装置。
【発明の詳細な説明】
【技術分野】
【０００１】
本技術はアクセサリー及び撮像装置についての技術分野に関する。詳しくは、装置本体に対するアクセサリーの装着の方式としてボデイを回転させて行うバヨネット結合方式と操作レバーを操作して行うスピゴット結合方式との選択を可能として装置本体に対するアクセサリーの着脱における使い勝手の向上を図る技術分野に関する。
【背景技術】
【０００２】
スチルカメラ等の撮像装置には、装置本体の前面に交換レンズが着脱可能とされたタイプがあり、交換レンズが取り付けられることにより機能性の向上が図られる。また、交換レンズは装置本体にアダプターを介して取り付けられる場合もあり、これらの交換レンズやアダプターは撮像装置におけるアクセサリーとして用いられる。
【０００３】
このようなアクセサリーが着脱可能とされた撮像装置にあっては、アクセサリーの装置本体に対する取付の方式として、アクセサリーの全体を装置本体に対して回転させアクセサリーの係合部を装置本体の係合部に係合する所謂バヨネット結合方式とアクセサリー又は装置本体に設けられた操作レバーを操作してアクセサリーの係合部を装置本体の係合部に係合する所謂スピゴット結合方式とがある（例えば、特許文献１参照）。
【０００４】
バヨネット結合方式にあっては、アクセサリーを装置本体の前面に前方から押し付けた状態でアクセサリーの全体を一定の角度回転させることにより装置本体に対する取付を行う。
【０００５】
このようなバヨネット結合方式にあっては、操作レバーが存在しないためアクセサリーの構造が簡素であるが、アクセサリーの全体を装置本体に対して回転させるため、アクセサリーとの干渉の回避を考慮して装置本体の各部をアクセサリーの回転軌跡から退避した位置に設ける必要があり、撮像装置の設計の自由度が低いと言う不都合がある。
【０００６】
一方、スピゴット結合方式にあっては、アクセサリーを装置本体の前面に前方から押し付けた状態で操作レバーを操作して一定の角度回転させることにより装置本体に対する取付を行う。
【０００７】
このようなスピゴット結合方式にあっては、操作レバーの操作によってアクセサリーが装置本体に取り付けられアクセサリーの全体を装置本体に対して回転させる必要がないため、撮像装置の設計の自由度が高いと言う長所を有している。また、重量の大きなアクセサリーの全体を回転させる必要がないため、アクセサリーの装置本体に対する着脱を容易に行うことが可能であると言う利点も有している。
【０００８】
【特許文献１】特開平０６−５１３８６号公報
【発明の開示】
【発明が解決しようとする課題】
【０００９】
ところで、上記のような装置本体に対してアクセサリーの着脱が可能とされた撮像装置には、装置本体に対して複数の種類のアクセサリーが各別に着脱可能とされたものがあり、このようなアクセサリーは形状や大きさが異なる構成にされている。
【００１０】
従って、アクセサリーの装置本体に対する取付の方式が一定である場合には、アクセサリーの種類によって装置本体に対する着脱が行い難かったり、着脱に手間や時間がかかったりするおそれがある。
【００１１】
また、撮像装置の使用状況、例えば、三脚に装置本体を取り付けた状態で装置本体に対するアクセサリーの交換や着脱を行う場合や片手でアクセサリーの交換や着脱を行う場合等の各種の使用状況においては、取付の方式が一定であると、やはりアクセサリーの着脱が行い難かったりする等の不具合を生じるおそれもある。
【００１２】
そこで、本技術アクセサリー及び撮像装置は、上記した問題点を克服し、装置本体に対するアクセサリーの着脱における使い勝手の向上を図ることを課題とする。
【課題を解決するための手段】
【００１３】
第１に、アクセサリーは、上記した課題を解決するために、装置本体に設けられたマウント部に結合される結合部と操作されて所定の方向へ動作される操作レバーと前記操作レバーを支持するボデイとを備え、前記装置本体に対して位置合わせを行い全体を回転させることにより結合部をマウント部に結合して前記装置本体に装着するバヨネット結合方式と前記装置本体に対して位置合わせを行い前記操作レバーを操作することにより前記結合部を前記マウント部に結合して前記装置本体に装着するスピゴット結合方式との選択が可能とされたものである。
【００１４】
従って、アクセサリーにあっては、バヨネット結合方式又はスピゴット結合方式のうち選択された何れかの結合方式によって結合部がマウント部に結合される。
【００１５】
第２に、上記したアクセサリーにおいては、前記装置本体に対する前記位置合わせの指標を前記操作レバーに設けることが望ましい。
【００１６】
装置本体に対する位置合わせの指標を操作レバーに設けることにより、アクセサリーに別に指標を設けるための専用の部分を必要としない。
【００１７】
第３に、上記したアクセサリーにおいては、前記結合部が前記ボデイに回転自在に支持され、前記操作レバーと前記結合部が一体に回転可能とされ、前記ボデイの回転に伴って前記操作レバーを前記結合部が一体に回転されて前記バヨネット結合方式によって前記結合部が前記マウント部に結合されるようにし、前記操作レバーの操作により前記操作レバーと前記結合部が一体に回転されて前記スピゴット結合方式によって前記結合部が前記マウント部に結合されるようにすることが望ましい。
【００１８】
ボデイの回転に伴って操作レバーと結合部が一体に回転されてバヨネット結合方式によって結合部がマウント部に結合されるようにし、操作レバーの操作により操作レバーと結合部が一体に回転されてスピゴット結合方式によって結合部がマウント部に結合されるようにすることにより、両方の結合方式において操作レバーと結合部が一体に回転されて結合部がマウント部に結合される。
【００１９】
第４に、上記したアクセサリーにおいては、前記装置本体に設けられた規制部に係合されて前記装置本体に対する位置を規制する被規制部が設けられ、前記結合部が前記マウント部に結合されて前記装置本体に装着されたときに、前記被規制部が前記規制部に係合されて前記装置本体に対する位置が規制されるようにすることが望ましい。
【００２０】
結合部がマウント部に結合されて装置本体に装着されたときに、被規制部が規制部に係合されて装置本体に対する位置が規制されるようにすることにより、装置本体に装着された状態においてアクセサリーが装置本体に対して移動されない。
【００２１】
第５に、上記したアクセサリーにおいては、前記操作レバーが前記ボデイに対してロックされるロック位置と前記ボデイに対して回転可能とされる非ロック位置との間で操作可能とされ、前記操作レバーが前記ロック位置に存在する状態において、前記バヨネット結合方式によって前記結合部が前記マウント部に結合されて前記装置本体に装着されるようにすることが望ましい。
【００２２】
操作レバーがロック位置に存在する状態において、バヨネット結合方式によって結合部がマウント部に結合されて装置本体に装着されるようにすることにより、装置本体に対する装着時に操作レバーがロックされている。
【００２３】
第６に、上記したアクセサリーにおいては、前記操作レバーが前記ボデイに対してロックされるロック位置と前記ボデイに対して回転可能とされる非ロック位置との間で操作可能とされ、前記操作レバーが操作されて前記ロック位置まで移動されて前記スピゴット結合方式によって前記結合部が前記マウント部に結合されて前記装置本体に装着されるようにすることが望ましい。
【００２４】
操作レバーが操作されてロック位置まで移動されてスピゴット結合方式によって結合部がマウント部に結合されて装置本体に装着されるようにすることにより、装置本体に対する装着時に操作レバーがロックされる。
【００２５】
第７に、上記したアクセサリーにおいては、前記操作レバーの移動に伴って移動されるクリック球と、前記クリック球が転動される転動面を有し前記クリック球が嵌合可能な嵌合凹部が形成された固定部と、前記クリック球を前記転動面に押し付ける付勢バネとを設け、前記操作レバーがロック位置に移動されたときに前記クリック球が前記嵌合凹部に嵌合されるようにすることが望ましい。
【００２６】
操作レバーがロック位置に移動されたときにクリック球が嵌合凹部に嵌合されるようにすることにより、操作レバーが前記ロック位置に移動されて操作レバーのロックが行われた感触が使用者（操作者）に伝達される。
【００２７】
撮像装置は、上記した課題を解決するために、マウント部が設けられた装置本体と、前記マウント部に結合される結合部と操作されて所定の方向へ動作される操作レバーと前記操作レバーを支持するボデイとを有するアクセサリーとを備え、前記装置本体に対して前記アクセサリーの位置合わせを行い全体を回転させることにより結合部をマウント部に結合して前記装置本体に装着するバヨネット結合方式と前記装置本体に対して前記アクセサリーの位置合わせを行い前記操作レバーを操作することにより前記結合部を前記マウント部に結合して前記装置本体に装着するスピゴット結合方式との選択が可能とされたものである。
【００２８】
従って、撮像装置にあっては、バヨネット結合方式又はスピゴット結合方式のうち選択された何れかの結合方式によって結合部がマウント部に結合される。
【発明の効果】
【００２９】
本技術アクセサリー及び撮像装置は、装置本体に対するアクセサリーの着脱における使い勝手の向上を図ることができる。
【発明を実施するための最良の形態】
【００３０】
以下に、本技術を実施するための最良の形態を添付図面に従って説明する。
【００３１】
以下に示した最良の形態は、本技術撮像装置をスチルカメラに適用し、本技術アクセサリーをこのスチルカメラにおけるアクセサリーに適用したものである。
【００３２】
尚、本技術の適用範囲はスチルカメラ及びこのスチルカメラにおけるアクセサリーに限られることはない。本技術は、例えば、スチルカメラ以外のビデオカメラ等の他の各種の撮像装置及びこれらの各種の撮像装置におけるアクセサリーに広く適用することができる。
【００３３】
以下の説明にあっては、スチルカメラの撮影時において撮影者から見た方向で前後上下左右の方向を示すものとする。従って、被写体側が前方となり、撮影者側が後方となる。
【００３４】
尚、以下に示す前後上下左右の方向は説明の便宜上のものであり、本技術の実施に関しては、これらの方向に限定されることはない。
【００３５】
［撮像装置の概略構成］
撮像装置１は装置本体２とアクセサリー３を備えている（図１及び図２参照）。アクセサリー３としては、例えば、アダプター４と交換レンズ５が用いられている。但し、アクセサリー３は交換レンズ５のみによって構成されていてもよい。
【００３６】
即ち、交換レンズ５がアダプター４を介して装置本体２に取り付けられる場合には、アダプター４と交換レンズ５がともにアクセサリー３、３として構成される。一方、交換レンズ５がアダプター４を介さないで装置本体２に取り付けられる場合には、交換レンズ５のみがアクセサリー３として構成される。
【００３７】
尚、以下には、交換レンズ５がアダプター４を介して装置本体２に取り付けられる場合について説明する。従って、アダプター４と交換レンズ５がともにアクセサリー３、３として構成される。
【００３８】
［装置本体の構成］
装置本体２は筐体６の内外に所要の各部が配置されて成る（図１及び図２参照）。
【００３９】
筐体６の上面には各種の入力操作部２ａ、２ａ、・・・が配置されている。入力操作部２ａ、２ａ、・・・としては、例えば、電源釦、シャッター釦、モード切替摘子等が設けられている。
【００４０】
筐体６の後面には図示しない各種の入力操作部とディスプレイが配置されている。入力操作部としては、例えば、ズームスイッチやモード切替摘子等が設けられている。
【００４１】
筐体６の前面には円形状の開口７が形成され、開口７の周囲の部分がアダプター４を取り付けるための取付部８として設けられている。
【００４２】
筐体６の内部にはＣＣＤ（Charge Coupled Device）やＣＭＯＳ（Complementary Metal-Oxide Semiconductor）等の撮像素子９が配置され、撮像素子９は開口７の後方に位置されている。
【００４３】
筐体６の内部には開口７の後側に図示しない接点部が配置されている。
【００４４】
取付部８には前後方向を向く板状の円環状に形成されたマウントリング１０が設けられ、マウントリング１０はアダプター４の結合部として機能する後述する可動リング２６が結合されるマウント部として機能する。マウントリング１０の右端寄りの位置には前後に貫通された突部配置孔が形成されている。
【００４５】
マウントリング１０には、例えば、上端の稍左方側の位置に位置合わせ部１０ａが設けられている。位置合わせ部１０ａは、例えば、円形状に形成され白色等の所定の着色がされており、他の部分に対して目立つようにされている。
【００４６】
取付部８には解除釦１１が配置されている（図３参照）。解除釦１１は前後方向へ移動可能とされ、押圧操作部１１ａと規制突部１１ｂを有し、両者が一体になって前後方向へ移動される。解除釦１１は図示しないバネ部材によって前方へ付勢され、押圧操作部１１ａがマウントリング１０の外側に位置され、規制突部１１ｂの先端部がバネ部材の付勢力によってマウントリング１０の突部配置孔から前方へ突出されている。
【００４７】
規制突部１１ｂはアダプター４が装置本体２に装着されたときにアダプター４の装置本体２に対する位置を規制する規制部として機能する。
【００４８】
取付部８にはマウントリング１０の内周側に係合突条部１２、１３、１４が周方向に離隔して設けられている。係合突条部１２、１３、１４はマウントリング１０に沿う円弧状に形成され、それぞれ円弧方向における長さが異なるようにされている。係合突条部１２、１３、１４の後側には空間が形成され、係合突条部１２、１３、１４間の部分（空間）はそれぞれ挿入部１５、１６、１７として形成されている。挿入部１５、１６、１７の周方向における長さは異なるようにされている。
【００４９】
［アダプターの構成］
アダプター４はボデイ１８の内外に所要の各部が配置されて成る（図１、図２、図４及び図５参照）。
【００５０】
ボデイ１８は前後方向が軸方向とされた略円筒状に形成された被取付部１９と被取付部１９からそれぞれ上下に突出された突部２０、２０とから成り、突部２０、２０には所定の機能を発揮する図示しない機能部、例えば、オートフォーカスセンサー等が内蔵されている。
【００５１】
被取付部１９の前面１９ａには前後方向を向く板状の円環状に形成された結合用リング２１が取り付けられている（図１及び図２参照）。結合用リング２１には交換レンズ５が結合される。交換レンズ５のアダプター４に対する取付は、交換レンズ５の全体をアダプター４に対して回転させて行うバヨネット結合方式又は図示しないレバーを操作して行うスピゴット結合方式による。被取付部１９の前面側には図示しないロック機構が設けられており、交換レンズ５はアダプター４の結合用リング２１にロック機構によってロックされた状態で取り付けられる。
【００５２】
被取付部１９には側方（左方）及び後方に開口された周方向に延びる移動用切欠２２が形成されている（図４及び図５参照）。被取付部１９には移動用切欠２２と内部を連通する挿通用スリット１９ｂが形成されている。挿通用スリット１９ｂは移動用切欠２２を形成する外方を向く底面２３に開口され、周方向に延びるようにされている。
【００５３】
被取付部１９には移動用切欠２２の底面２３から外方へ突出されたロック突部１９ｃが設けられ、ロック突部１９ｃは挿通用スリット１９ｂの下端部における直ぐ前側に位置されている。
【００５４】
ボデイ１８の被取付部１９の下端寄りの位置には図示しない接続部が配置されている。
【００５５】
被取付部１９の後面１９ｄには着脱部２４が設けられている。着脱部２４は固定リング２５と可動リング２６を有している。
【００５６】
固定リング２５は前後方向を向く板状の円環状に形成されボデイ１８に固定されている。
【００５７】
固定リング２５には、左端側の部分に前方に開口された嵌合凹部２５ａ、２５ｂが周方向に離隔して形成され、右端側の部分に回転規制孔２５ｃが形成されている（図４乃至図６参照）。回転規制孔２５ｃはアダプター４が装置本体２に装着されたときにアダプター４の装置本体２に対する位置を規制する被規制部として機能する。
【００５８】
可動リング２６は略円筒状のリング部２７とリング部２７の前縁における一部を除いた部分から外方へ張り出された結合面部２８とから成る（図７参照）。可動リング２６は装置本体２のマウントリング１０に結合される結合部として機能する。
【００５９】
リング部２７は軸方向に短い形状に形成され、後端部から外方へ張り出された係合部２７ａ、２７ｂ、２７ｃを有している（図４及び図５参照）。係合部２７ａ、２７ｂ、２７ｃは円弧状に形成され、周方向における長さが装置本体２におけるマウントリング１０の係合突条部１２、１３、１４間に形成された挿入部１５、１６、１７の周方向における長さよりそれぞれ僅かに短くされている。可動リング２６はリング部２７が固定リング２５の内側開口縁から後方へ突出され結合面部２８が固定リング２５の前面に対向した状態で固定リング２５に対して回転可能とされている。
【００６０】
可動リング２６における結合面部２８の前面には操作レバー２９がネジ止め等によって結合されている（図６乃至図８参照）。
【００６１】
操作レバー２９は連結アーム３０と連結アーム３０の一端部に取り付けられた被操作部３１とを有している。
【００６２】
連結アーム３０は中間部がボデイ１８の被取付部１９に形成された挿通用スリット１９ｂに挿通され、内側の端部が結合面部２８にネジ止め等によって取り付けられ、外側の端部が被取付部１９の移動用切欠２２に位置されている。
【００６３】
連結アーム３０の中間部には上下に貫通された配置孔３０ａが形成され、配置孔３０ａにはバネケース３２が挿入されて配置されている。
【００６４】
バネケース３２は前後方向を向く円板状のベース部３３とベース部３３から後方へ突出された挿入軸部３４とから成る（図６参照）。
【００６５】
バネケース３２にはベース部３３の後面に開口されたバネ支持穴３２ａが形成され、バネ支持穴３２ａに圧縮コイルバネである付勢バネ３５が配置されている。
【００６６】
ベース部３３と挿入軸部３４は同軸上に位置され、挿入軸部３４の外径がベース部３３の外径より小さくされている。
【００６７】
バネケース３２は挿入軸部３４が連結アーム３０の配置孔３０ａに後方から挿入される。挿入軸部３４が配置孔３０ａに挿入された状態において、クリック球３６が付勢バネ３５の後端部に支持され、クリック球３６に付勢バネ３５の付勢力が付与される。従って、クリック球３６は付勢バネ３５の付勢力によって固定リング２５の前面に押し付けられる。
【００６８】
被操作部３１は内方（右方）に開口された箱状に形成され、連結アーム３０の外側の端部にネジ止め等によって取り付けられて移動用切欠２２に位置されている。被操作部３１の上端部には略左右に貫通されたピン挿通孔３１ａが形成されている。
【００６９】
被操作部３１にはロック片３７が回動自在に支持されている（図６及び図８参照）。ロック片３７は回動支点軸が前後方向に延び、略上下方向に延びる形状に形成され、下端部に内方へ突出されたロック用係合部３７ａを有し、上端部に外方へ突出された操作ピン３７ｂを有している。ロック片３７は操作ピン３７ｂ以外の部分が被操作部３１の内部に位置され、操作ピン３７ｂがピン挿通孔３１ａに挿通され先端部が被操作部３１から外方へ突出されている。
【００７０】
操作ピン３７ｂには、例えば、白色等の所定の着色がされており、他の部分に対して目立つようにされている。このように操作ピン３７ｂは他の部分に対して目立つようにされており、アダプター４を装置本体２に装着するときにマウントリング１０の位置合わせ部１０ａに位置合わせをする指標として機能する。
【００７１】
被操作部３１の内部には捩じりコイルバネ３８が配置され、ロック片３７はロック用係合部３７ａが移動用切欠２２の底面２３に接近する方向へ付勢されている。従って、ロック片３７は捩じりコイルバネ３８の付勢力によってロック用係合部３７ａが移動用切欠２２の底面２３に押し付けられる。
【００７２】
操作レバー２９は被操作部３１が移動用切欠２２において移動可能とされ、上方の移動端である非ロック位置と下方の移動端であるロック位置との間で移動される。操作レバー２９の移動に伴って可動リング２６が回転される。
【００７３】
交換レンズ５の内部には図示しないレンズ群及びレンズ群を光軸方向へ移動させる図示しない駆動機構が配置されている。駆動機構は交換レンズ５と装置本体２の交信が可能な状態において、装置本体２の内部に配置された図示しない制御部からの指令によって動作される。
【００７４】
［アダプターの装置本体に対する着脱時の動作］
以下に、アダプター４の装置本体２に対する着脱時の動作について説明する（図９乃至図１６参照）。アダプター４の装置本体２に対する着脱においては、装置本体２に対してアダプター４の位置合わせを行いアダプター４の全体を回転させることにより行うバヨネット結合方式と、装置本体２に対してアダプター４の位置合わせを行い操作レバー２９を操作することにより行うスピゴット結合方式とを選択することができる。
【００７５】
先ず、バヨネット結合方式による着脱について説明する（図９乃至図１２参照）。
【００７６】
バヨネット結合方式によるアダプター４の装置本体２に対する取付は、先ず、操作レバー２９を下方の移動端であるロック位置に保持する（図９参照）。このときロック片３７はロック用係合部３７ａが被取付部１９のロック突部１９ｃに係合され、操作レバー２９のボデイ１８に対する移動が規制されている。また、操作レバー２９がロック位置にあるときには、付勢バネ３５の付勢力によってクリック球３６の一部が固定リング２５の嵌合凹部２５ｂに挿入されている。
【００７７】
次に、指標として機能するアダプター４におけるロック片３７の操作ピン３７ｂを装置本体２におけるマウントリング１０の位置合わせ部１０ａの真正面に位置させてアダプター４の装置本体２に対する位置合わせを行う（図１０参照）。
【００７８】
このように指標として機能する操作ピン３７ｂを位置合わせ部１０ａの真正面に位置させてアダプター４の装置本体２に対する位置合わせを行った状態においては、可動リング２６のリング部２７における係合部２７ａ、２７ｂ、２７ｃがそれぞれ係合突条部１２、１３、１４間に形成された挿入部１５、１６、１７に対向して位置される。
【００７９】
指標として機能する操作ピン３７ｂは操作レバー２９に設けられており、アダプター４に別に指標を設けるための専用の部分を必要とせず、部品点数の削減及び機構の簡素化を図った上でアダプター４の装置本体２に対する位置合わせを確実に行うことができる。
【００８０】
次いで、可動リング２６の係合部２７ａ、２７ｂ、２７ｃをそれぞれ挿入部１５、１６、１７に挿入し、固定リング２５を装置本体２のマウントリング１０に前方から押し付ける。このとき、上記したように、係合部２７ａ、２７ｂ、２７ｃと挿入部１５、１６、１７の長さがそれぞれ異なるようにされている。従って、アダプター４は係合部２７ａ、２７ｂ、２７ｃがそれぞれ挿入部１５、１６、１７に対応して位置された向き以外の向きでは装置本体２に取り付けられないため、装置本体２に対するアダプター４の誤った向きでの取付が防止される。
【００８１】
アダプター４の固定リング２５が装置本体２のマウントリング１０に前方から押し付けられると、解除釦１１の規制突部１１ｂが固定リング２５に前方から押圧されてバネ部材の付勢力に反して後方へ移動されてマウントリング１０に形成された突部配置孔の内部に位置される。
【００８２】
次に、アダプター４の全体を装置本体２に対して回転させていく（図１１参照）。アダプター４が装置本体２に対して回転されていくと、可動リング２６の係合部２７ａ、２７ｂ、２７ｃがそれぞれ係合突条部１２、１３、１４の後側の空間に挿入されていく。
【００８３】
引き続きアダプター４が装置本体２に対して回転されると、可動リング２６の係合部２７ａ、２７ｂ、２７ｃの全体がそれぞれ係合突条部１２、１３、１４の後側の空間に挿入されて係合突条部１２、１３、１４に係合される（図１２参照）。係合部２７ａ、２７ｂ、２７ｃの全体がそれぞれ係合突条部１２、１３、１４に係合されたときには、同時に、固定リング２５の回転規制孔２５ｃが解除釦１１の規制突部１１ｂに一致され、規制突部１１ｂが回転規制孔２５ｃに挿入される。
【００８４】
従って、アダプター４の装置本体２に対する回転が規制されてそれぞれ係合部２７ａ、２７ｂ、２７ｃの係合突条部１２、１３、１４に対する係合状態が保持され、アダプター４の装置本体２に対するロックが行われる。
【００８５】
アダプター４の装置本体２に対するロックが行われた状態においては、装置本体２の接点部にアダプター４の接続部が接続されて装置本体２とアダプター４及び交換レンズ５との間で交信が可能な状態とされる。
【００８６】
アダプター４を装置本体２から取り外すときには、先ず、装置本体２における解除釦１１の押圧操作部１１ａを押圧する。押圧操作部１１ａが押圧されると、規制突部１１ｂが回転規制孔２５ｃから引き出されてアダプター４の装置本体２に対するロックが解除される。
【００８７】
次に、アダプター４の装置本体２に対するロックが解除された状態において、アダプター４を装置本体２に対する取付時とは逆方向へ回転させる。アダプター４が装置本体２に対して回転されると、可動リング２６の係合部２７ａ、２７ｂ、２７ｃと係合突条部１２、１３、１４の係合が解除される。
【００８８】
最後に、アダプター４を装置本体２から前方へ引き出すことにより、アダプター４が装置本体２から取り外される。
【００８９】
次に、スピゴット結合方式による着脱について説明する（図１３乃至図１９参照）。
【００９０】
スピゴット結合方式によるアダプター４の装置本体２に対する取付は、先ず、アダプター４が非ロック位置にある状態にする（図１３参照）。アダプター４が非ロック位置にある状態においては、クリック球３６の一部が付勢バネ３５の付勢力によって固定リング２５に形成された嵌合凹部２５ａに挿入されている（図１４参照）。
【００９１】
次に、指標として機能するアダプター４におけるロック片３７の操作ピン３７ｂを装置本体２におけるマウントリング１０の位置合わせ部１０ａの真正面に位置させてアダプター４の装置本体２に対する位置合わせを行う（図１５参照）。
【００９２】
このように指標として機能する操作ピン３７ｂを位置合わせ部１０ａの真正面に位置させてアダプター４の装置本体２に対する位置合わせを行った状態においては、可動リング２６のリング部２７における係合部２７ａ、２７ｂ、２７ｃがそれぞれ係合突条部１２、１３、１４間に形成された挿入部１５、１６、１７に対向して位置される。
【００９３】
指標として機能する操作ピン３７ｂは操作レバー２９に設けられており、アダプター４に別に指標を設けるための専用の部分を必要とせず、部品点数の削減及び機構の簡素化を図った上でアダプター４の装置本体２に対する位置合わせを確実に行うことができる。
【００９４】
次に、可動リング２６の係合部２７ａ、２７ｂ、２７ｃをそれぞれ挿入部１５、１６、１７に挿入し、固定リング２５を装置本体２のマウントリング１０に前方から押し付ける。このとき、上記したように、係合部２７ａ、２７ｂ、２７ｃと挿入部１５、１６、１７の長さがそれぞれ異なるようにされている。従って、アダプター４は係合部２７ａ、２７ｂ、２７ｃがそれぞれ挿入部１５、１６、１７に対応して位置された向き以外の向きでは装置本体２に取り付けられないため、装置本体２に対するアダプター４の誤った向きでの取付が防止される。
【００９５】
アダプター４の固定リング２５が装置本体２のマウントリング１０に前方から押し付けられると、解除釦１１の規制突部１１ｂが固定リング２５の回転規制孔２５ｃに挿入され、アダプター４の装置本体２に対する回転が規制される。
【００９６】
次に、操作レバー２９を非ロック位置からロック位置へ向けて操作する（図１６参照）。操作レバー２９がロック位置へ向けて操作されるときには可動リング２６が操作レバー２９と一体になって回転され、可動リング２６の係合部２７ａ、２７ｂ、２７ｃがそれぞれ係合突条部１２、１３、１４の後側の空間に挿入されていく。このときロック片３７はロック用係合部３７ａが移動用切欠２２の底面２３に摺動され、クリック球３６が固定リング２５の前面に摺動される（図１７参照）。
【００９７】
引き続き操作レバー２９が操作されてロック位置まで移動されると、可動リング２６の係合部２７ａ、２７ｂ、２７ｃの全体がそれぞれ係合突条部１２、１３、１４の後側の空間に挿入されて係合突条部１２、１３、１４に係合される（図１８参照）。
【００９８】
操作レバー２９がロック位置まで移動されるときには、ロック片３７はロック用係合部３７ａがロック突部１９ｃに摺動され、一旦捩じりコイルバネ３８の付勢力に反して回動され再び捩じりコイルバネ３８の付勢力によって回動されてロック突部１９ｃに係合される。従って、可動リング２６の回転が規制されてそれぞれ係合部２７ａ、２７ｂ、２７ｃの係合突条部１２、１３、１４に対する係合状態が保持され、アダプター４の装置本体２に対するロックが行われる。
【００９９】
操作レバー２９がロック位置まで移動されたときには、同時に、クリック球３６が固定リング２５の嵌合凹部２５ｂの真上に移動され、付勢バネ３５の付勢力によってクリック球３６の一部が嵌合凹部２５ｂに挿入される（図１９参照）。従って、操作レバー２９がロック位置に移動されて操作レバー２９のロックが行われた感触が使用者（操作者）に所謂クリック感として伝達される。
【０１００】
このようにクリック球３６の一部が嵌合凹部２５ｂに挿入されることにより、使用者に操作レバー２９がロック位置に移動されて操作レバー２９のロックが行われた感触が伝達されるため、使い勝手の向上を図ることができる。
【０１０１】
アダプター４の装置本体２に対するロックが行われた状態においては、装置本体２の接点部にアダプター４の接続部が接続されて装置本体２とアダプター４及び交換レンズ５との間で交信が可能な状態とされる。
【０１０２】
アダプター４を装置本体２から取り外すときには、先ず、ロック片３７の操作ピン３７ｂを押圧する。ロック片３７の操作ピン３７ｂが押圧されると、ロック片３７が捩じりコイルバネ３８の付勢力に反して回動されてロック用係合部３７ａのロック突部１９ｃとの係合が解除され、アダプター４の装置本体２に対するロックが解除される。
【０１０３】
次に、アダプター４の装置本体２に対するロックが解除された状態で操作レバー２９を操作してロック位置から非ロック位置まで移動させる。操作レバー２９が非ロック位置まで移動されると、可動リング２６の係合部２７ａ、２７ｂ、２７ｃと係合突条部１２、１３、１４の係合が解除される。
【０１０４】
操作レバー２９が非ロック位置まで移動されたときには、同時に、クリック球３６が固定リング２５の嵌合凹部２５ａの真上に移動され、付勢バネ３５の付勢力によってクリック球３６の一部が嵌合凹部２５ａに挿入される。従って、操作レバー２９が非ロック位置に移動された感触が使用者（操作者）に所謂クリック感として伝達される。
【０１０５】
最後に、アダプター４を装置本体２から前方へ引き出すことにより、アダプター４が装置本体２から取り外される。
【０１０６】
上記したように、撮像装置１にあっては、バヨネット結合方式によるアダプター４の装置本体２への装着は操作レバー２９がロック位置に保持された状態で開始され、スピゴット結合方式によるアダプター４の装置本体２への装着は操作レバー２９が非ロック位置に保持された状態で開始される。
【０１０７】
従って、アダプター４の装置本体２への装着は、操作レバー２９がロック位置又は非ロック位置に保持されている状態で開始されるが、使用者が操作レバー２９をロック位置と非ロック位置の間に存在させた状態でアダプター４の装置本体２に対する位置合わせを行ってアダプター４を装置本体２に装着しようとする可能性もある（図２０参照）。
【０１０８】
この場合には、先ず、可動リング２６の係合部２７ａ、２７ｂ、２７ｃをそれぞれ挿入部１５、１６、１７に挿入した状態において、アダプター４を装置本体２に対して回転し固定リング２５の回転規制孔２５ｃに解除釦１１の規制突部１１ｂを挿入させ（図２１参照）、その後、操作レバー２９をロック位置まで操作する（図２２参照）ことにより、アダプター４を装置本体２に装着することができる。
【０１０９】
また、可動リング２６の係合部２７ａ、２７ｂ、２７ｃをそれぞれ挿入部１５、１６、１７に挿入した状態において、先ず、操作レバー２９をロック位置まで操作し（図２３参照）、その後、アダプター４を装置本体２に対して回転し固定リング２５の回転規制孔２５ｃに解除釦１１の規制突部１１ｂを挿入させる（図２４参照）ことにより、アダプター４を装置本体２装着することもできる。
【０１１０】
このように使用者が操作レバー２９をロック位置と非ロック位置の間に存在させた状態においても、バヨネット結合方式とスピゴット結合方式を組み合わせてアダプター４を装置本体２に装着することが可能であり、アダプター４の装置本体２に対する装着に関し利便性の向上を図ることができる。
【０１１１】
［変形例］
以下に、アダプターの変形例について説明する（図２５乃至図３５参照）。
【０１１２】
尚、以下に示す変形例に係るアダプター４Ａは、上記したアダプター４と比較して、操作レバーの構成が異なること、ボデイに二つのロック用凹部が形成されていることのみが相違するため、アダプター４と比較して異なる部分についてのみ詳細に説明をし、その他の部分についてはアダプター４における同様の部分に付した符号と同じ符号を付して説明は省略する。
【０１１３】
アダプター４Ａにおけるボデイ１８Ａの外周部には周方向に離隔してそれぞれ外方に開口された第１のロック用凹部１８ａと第２のロック用凹部１８ｂが形成されている。（図２５参照）。第１のロック用凹部１８ａと第２のロック用凹部１８ｂはそれぞれ移動用切欠２２に連通されている。
【０１１４】
可動リング２６における結合面部２８の前面には操作レバー２９Ａがネジ止め等によって結合されている（図２６及び図２７参照）。
【０１１５】
操作レバー２９Ａは連結アーム３０と連結アーム３０の一端部に取り付けられた被操作部３１Ａとを有している。
【０１１６】
操作レバー２９Ａにおける連結アーム３０には操作レバー２９における連結アーム３０と同様に付勢バネ３５及びクリック球３６が配置されたバネケース３２が取り付けられていてもよいが、操作レバー２９Ａの以下の説明においてはバネケース３２等についての説明は省略する。
【０１１７】
被操作部３１Ａは内方（右方）に開口された箱状に形成され、連結アーム３０の外側の端部にネジ止め等によって取り付けられて移動用切欠２２に位置されている。
【０１１８】
被操作部３１Ａの内方に開口された凹部は挿入用凹部３９として形成されている（図２７及び図２８参照）。挿入用凹部３９には後方に開口された第１の係合溝３９ａと第１の係合溝３９ａの後側に離隔し左右に延びる第２の係合溝３９ｂとが形成されている。
【０１１９】
被操作部３１Ａには前方に開口された配置用凹部３１ｂが形成されている。
【０１２０】
被操作部３１Ａの外面には突部４０が設けられ（図２５及び図２６参照）、突部４０はアダプター４Ａを装置本体２に装着するときにマウントリング１０の位置合わせ部１０ａに位置合わせをする指標として機能する。突部４０には、例えば、白色等の所定の着色がされており、他の部分に対して目立つようにされている。
【０１２１】
被操作部３１Ａにはロック用アーム４１が回動自在に支持されている（図２６乃至図２８参照）。ロック用アーム４１は回動操作部４１ａと回動操作部４１ａの一端部からそれぞれ略上下方向へ突出された支点軸部４１ｂ、４１ｂとから成る。
【０１２２】
ロック用アーム４１は支点軸部４１ｂ、４１ｂが挿入用凹部３９に挿入され、支点軸部４１ｂ、４１ｂを支点として被操作部３１Ａに回動自在に支持される。
【０１２３】
ロック用アーム４１の上面における支点軸部４１ｂの周囲の部分にはクリック部材４２が固定されている。クリック部材４２は略円環状に形成された被固定部４２ａと被固定部４２ａから上方へ突出された係合部４２ｂとから成る。係合部４２ｂは被固定部４２ａに対して弾性変形可能とされている。クリック部材４２は被固定部４２ａがロック用アーム４１の上面に固定され、ロック用アーム４１が被操作部３１Ａに支持された状態において配置用凹部３１ｂに配置される。クリック部材４２にはロック用アーム４１の一方の支点軸部４１ｂが挿通される。
【０１２４】
操作レバー２９Ａは被操作部３１Ａが移動用切欠２２において移動可能とされ、上方の移動端である第１のロック位置と下方の移動端である第２のロック位置との間で移動される。操作レバー２９Ａの移動に伴って可動リング２６が回転される。
【０１２５】
［変形例に係るアダプターの装置本体に対する着脱時の動作］
以下に、アダプター４Ａの装置本体２に対する着脱時の動作について説明する（図２９乃至図３５参照）。アダプター４Ａの装置本体２に対する着脱においては、装置本体２に対してアダプター４Ａの位置合わせを行いアダプター４Ａの全体を回転させることにより行うバヨネット結合方式と、装置本体２に対してアダプター４Ａの位置合わせを行い操作レバー２９Ａを操作することにより行うスピゴット結合方式とを選択することができる。
【０１２６】
アダプター４Ａの装置本体２に対するバヨネット結合方式による着脱は、操作レバー２９Ａを下方の移動端である第２のロック位置に保持した状態でアダプター４と同様に行うため、説明は省略する。
【０１２７】
尚、バヨネット結合方式におけるアダプター４Ａの装置本体２に対する位置合わせは、ロック用アーム４１の突部４０をマウントリング１０の位置合わせ部１０ａの真正面に位置させることにより行う。
【０１２８】
次に、スピゴット結合方式による着脱について説明する。
【０１２９】
スピゴット結合方式によるアダプター４Ａの装置本体２に対する取付は、先ず、アダプター４Ａが第１のロック位置にある状態にする（図２９参照）。
【０１３０】
このときロック用アーム４１の回動操作部４１ａが装置本体２におけるボデイ１８Ａの第１のロック用凹部１８ａに嵌合されて操作レバー２９Ａのボデイ１８Ａに対する回転が規制されている。回動操作部４１ａが第１のロック用凹部１８ａに嵌合された状態においては、クリック部材４２の係合部４２ｂが被操作部３１Ａに形成された挿入用凹部３９の第２の係合溝３９ｂに係合されている（図３０参照）。
【０１３１】
次に、指標として機能するアダプター４Ａにおける操作レバー２９Ａの突部４０を装置本体２におけるマウントリング１０の位置合わせ部１０ａの真正面に位置させてアダプター４Ａの装置本体２に対する位置合わせを行う。
【０１３２】
このように指標として機能する突部４０を位置合わせ部１０ａの真正面に位置させてアダプター４Ａの装置本体２に対する位置合わせを行った状態においては、可動リング２６のリング部２７における係合部２７ａ、２７ｂ、２７ｃがそれぞれ係合突条部１２、１３、１４間に形成された挿入部１５、１６、１７に対向して位置される。
【０１３３】
指標として機能する突部４０は操作レバー２９Ａに設けられており、アダプター４Ａに別に指標を設けるための専用の部分を必要とせず、部品点数の削減及び機構の簡素化を図った上でアダプター４Ａの装置本体２に対する位置合わせを確実に行うことができる。
【０１３４】
次に、可動リング２６の係合部２７ａ、２７ｂ、２７ｃをそれぞれ挿入部１５、１６、１７に挿入し、固定リング２５を装置本体２のマウントリング１０に前方から押し付ける。
【０１３５】
アダプター４Ａの固定リング２５が装置本体２のマウントリング１０に前方から押し付けられると、解除釦１１の規制突部１１ｂが固定リング２５の回転規制孔２５ｃに挿入され、アダプター４Ａの装置本体２に対する回転が規制される。
【０１３６】
次に、ロック用アーム４１の回動操作部４１ａを回動させて第１のロック用凹部１８ａから引き出す（図３１参照）。
【０１３７】
回動操作部４１ａの回動時にはクリック部材４２が一体になって回動され、係合部４２ｂが被操作部３１Ａの壁面に摺動されて弾性変形され、回動操作部４１ａが第１のロック用凹部１８ａから引き出されると、係合部４２ｂが弾性復帰されて被操作部３１Ａの第１の係合溝３９ａに係合される（図３２参照）。このとき回動操作部４１ａが第１のロック用凹部１８ａから引き出された感触が使用者に所謂クリック感として伝達される。
【０１３８】
次いで、操作レバー２９Ａを第１のロック位置から第２のロック位置へ向けて操作する（図３３参照）。操作レバー２９Ａが第２のロック位置へ向けて操作されるときには可動リング２６が操作レバー２９Ａと一体になって回転され、可動リング２６の係合部２７ａ、２７ｂ、２７ｃがそれぞれ係合突条部１２、１３、１４の後側の空間に挿入されていく。
【０１３９】
引き続き操作レバー２９Ａは操作されて第２のロック位置まで移動される（図３４参照）。操作レバー２９Ａが第２のロック位置まで移動されると、可動リング２６の係合部２７ａ、２７ｂ、２７ｃの全体がそれぞれ係合突条部１２、１３、１４の後側の空間に挿入されて係合突条部１２、１３、１４に係合される。
【０１４０】
次に、ロック用アーム４１が回動されて回動操作部４１ａがボデイ１８Ａの第２のロック用凹部１８ｂに嵌合されて操作レバー２９Ａのロックが行われ、操作レバー２９Ａのボデイ１８Ａに対する回転が規制される（図３５参照）。
【０１４１】
ロック用アーム４１が回動されるときにはクリック部材４２が回動操作部４１ａと一体になって回動され、係合部４２ｂが被操作部３１Ａの壁面に摺動されて弾性変形され、回動操作部４１ａが第２のロック用凹部１８ｂに嵌合されると、係合部４２ｂが弾性復帰されて被操作部３１Ａの第２の係合溝３９ｂに係合される（図３０参照）。このとき回動操作部４１ａが第２のロック用凹部１８ｂに嵌合され操作レバー２９Ａのボデイ１８Ａに対するロックが行われた感触が使用者に所謂クリック感として伝達される。
【０１４２】
このように使用者に操作レバー２９Ａが第２のロック位置に移動されて操作レバー２９Ａのボデイ１８Ａに対するロックが行われた感触が伝達されるため、使い勝手の向上を図ることができる。
【０１４３】
アダプター４Ａの装置本体２に対するロックが行われた状態においては、装置本体２の接点部にアダプター４Ａの接続部が接続されて装置本体２とアダプター４Ａ及び交換レンズ５との間で交信が可能な状態とされる。
【０１４４】
アダプター４Ａを装置本体２から取り外すときには、先ず、ロック用アーム４１を回動させて回動操作部４１ａをボデイ１８Ａの第２のロック用凹部１８ｂから引き出す。回動操作部４１ａが第２のロック用凹部１８ｂから引き出されると、操作レバー２９Ａのロックが解除される。
【０１４５】
次に、操作レバー２９Ａのロックが解除された状態で操作レバー２９Ａを操作して第２のロック位置から第１のロック位置まで移動させる。操作レバー２９Ａが第２のロック位置まで移動されると、可動リング２６の係合部２７ａ、２７ｂ、２７ｃと係合突条部１２、１３、１４の係合が解除される。
【０１４６】
次いで、ロック用アーム４１が回動されて回動操作部４１ａがボデイ１８Ａの第１のロック用凹部１８ａに嵌合されて操作レバー２９Ａのロックが行われ、操作レバー２９Ａのボデイ１８Ａに対する回転が規制される。
【０１４７】
ロック用アーム４１が回動されるときにはクリック部材４２が回動操作部４１ａと一体になって回動され、係合部４２ｂが被操作部３１Ａの壁面に摺動されて弾性変形され、回動操作部４１ａが第１のロック用凹部１８ａに嵌合されると、係合部４２ｂが弾性復帰されて被操作部３１Ａの第２の係合溝３９ｂに係合される。このとき回動操作部４１ａが第１のロック用凹部１８ａに嵌合されて操作レバー２９Ａのボデイ１８Ａに対するロックが行われた感触が使用者に所謂クリック感として伝達される。
【０１４８】
最後に、アダプター４Ａを装置本体２から前方へ引き出すことにより、アダプター４Ａが装置本体２から取り外される。
【０１４９】
［撮像装置の一実施形態］
以下に、本技術撮像装置の一実施形態によるデジタルスチルカメラのブロック図を示す（図３６参照）。
【０１５０】
撮像装置（デジタルスチルカメラ）１は、撮像機能を担うカメラブロック４３と、撮影された画像信号のアナログ−デジタル変換等の信号処理を行うカメラ信号処理部４４と、画像信号の記録再生処理を行う画像処理部４５とを有している。また、撮像装置１は、撮影された画像等を表示するディスプレイ４６と、メモリーカード１００への画像信号の書込及び読出を行うＲ／Ｗ（リーダ／ライタ）４７と、撮像装置１の全体を制御するＣＰＵ（Central Processing Unit）４８と、使用者によって所要の操作が行われる各種のスイッチ等の入力操作部２ａ、２ａ、・・・等と、カメラブロック４３に配置されたレンズの駆動を制御するレンズ駆動制御部４９とを備えている。
【０１５１】
カメラブロック４３は、交換レンズ５、アダプター４及び撮像素子９等によって構成されている。
【０１５２】
カメラ信号処理部４４は、撮像素子９からの出力信号に対するデジタル信号への変換、ノイズ除去、画質補正、輝度・色差信号への変換等の各種の信号処理を行う。
【０１５３】
画像処理部４５は、所定の画像データーフォーマットに基づく画像信号の圧縮符号化・伸張復号化処理や解像度等のデーター仕様の変換処理等を行う。
【０１５４】
ディスプレイ４６は使用者の入力操作部２ａ、２ａ、・・・等に対する操作状態や撮影した画像等の各種のデーターを表示する機能を有している。
【０１５５】
Ｒ／Ｗ４７は、画像処理部４５によって符号化された画像データーのメモリーカード１００への書込及びメモリーカード１００に記録された画像データーの読出を行う。
【０１５６】
ＣＰＵ４８は、撮像装置１に設けられた各回路ブロックを制御する制御処理部として機能し、入力操作部２ａ、２ａ、・・・等からの指示入力信号等に基づいて各回路ブロックを制御する。
【０１５７】
入力操作部２ａ、２ａ、・・・等は、例えば、電源釦、シャッター釦、モード切替摘子、ズームスイッチ等によって構成され、使用者による操作に応じた指示入力信号をＣＰＵ４８に対して出力する。
【０１５８】
レンズ駆動制御部４９は、ＣＰＵ４８からの制御信号に基づいてアダプター４を介して交換レンズ５の各レンズを駆動するモーター等を制御する。尚、レンズ駆動制御部４９はアダプター４の内部に配置されていてもよい。
【０１５９】
メモリーカード１００は、例えば、Ｒ／Ｗ４７に接続されたスロットに対して着脱可能な半導体メモリーである。
【０１６０】
以下に、撮像装置１における動作を説明する。
【０１６１】
撮影の待機状態では、ＣＰＵ４８による制御の下で、カメラブロック４３において撮影された画像信号が、カメラ信号処理部４４を介してディスプレイ４６に出力され、カメラスルー画像として表示される。また、入力操作部２ａ、２ａ、・・・等からのズーミングのための指示入力信号が入力されると、ＣＰＵ４８がレンズ駆動制御部４９に制御信号を出力し、レンズ駆動制御部４９の制御に基づいて交換レンズ５の所定のレンズが移動される。
【０１６２】
入力操作部２ａ、２ａ、・・・等からの指示入力信号によりカメラブロック４３の図示しないシャッターが動作されると、撮影された画像信号がカメラ信号処理部４４から画像処理部４５に出力されて圧縮符号化処理され、所定のデーターフォーマットのデジタルデーターに変換される。変換されたデーターはＲ／Ｗ４７に出力され、メモリーカード１００に書き込まれる。
【０１６３】
ズーミングは、例えば、入力操作部（ズーム摘子）２ａが操作された場合に、ＣＰＵ４８からの制御信号に基づいてレンズ駆動制御部４９が交換レンズ５の所定のレンズを移動させることにより行われる。
【０１６４】
フォーカシングは、例えば、入力操作部（シャッター釦）２ａが半押しされた場合や記録（撮影）のために全押しされた場合等に、ＣＰＵ４８からの制御信号に基づいてレンズ駆動制御部４９が交換レンズ５の所定のレンズを移動させることにより行われる。
【０１６５】
メモリーカード１００に記録された画像データーを再生する場合には、入力操作部２ａ、２ａ、・・・等に対する操作に応じて、Ｒ／Ｗ４７によってメモリーカード１００から所定の画像データーが読み出され、画像処理部４５によって伸張復号化処理が行われた後、再生画像信号がディスプレイ４６に出力されて再生画像が表示される。
【０１６６】
［まとめ］
以上に記載した通り、アダプター４、４Ａを装置本体２に対して回転させることにより結合部として機能する可動リング２６をマウント部として機能するマウントリング１０に結合するバヨネット結合方式と操作レバー２９、２９Ａを操作することにより可動リング２６をマウントリング１０に結合するスピゴット結合方式との選択が可能とされている。
【０１６７】
従って、アダプター４、４Ａの装置本体２に対する取付の方式をアクセサリーの種類や使用状況等に応じて選択することにより、装置本体２に対するアクセサリーの着脱における使い勝手の向上を図ることができる。
【０１６８】
また、ボデイ１８、１８Ａの回転に伴って可動リング２６が一体に回転されてバヨネット結合方式によって可動リング２６がマウントリング１０に結合され、操作レバー２９、２９Ａの操作により可動リング２６が一体に回転されてスピゴット結合方式によって可動リング２６がマウントリング１０に結合される。
【０１６９】
従って、簡単な構造によりアダプター４、４Ａをバヨネット結合方式及びスピゴット結合方式によって装置本体２に装着することができる。
【０１７０】
さらに、アダプター４、４Ａが装置本体２に装着されたときに、回転規制孔２５ｃが規制突部１１ｂに係合されてアダプター４、４Ａの装置本体２に対する位置が規制される。
【０１７１】
従って、バヨネット結合方式及びスピゴット結合方式の何れの方式においてもアダプター４、４Ａを安定した状態で装置本体２に装着することができる。
【０１７２】
さらにまた、操作レバー２９、２９Ａがロック位置に存在する状態において、バヨネット結合方式によってアダプター４、４Ａが装置本体２に装着される。
【０１７３】
従って、バヨネット結合方式によってアダプター４、４Ａが装置本体２に装着されたときに操作レバー２９、２９Ａがロックされているため、可動リング２６が回転されることがなくアダプター４、４Ａの装置本体２からの脱落を防止することができる。
【０１７４】
加えて、操作レバー２９、２９Ａがロック位置に回転されてスピゴット結合方式によってアダプター４、４Ａが装置本体２に装着される。
【０１７５】
従って、スピゴット結合方式によってアダプター４、４Ａが装置本体２に装着されたときに操作レバー２９、２９Ａがロックされているため、可動リング２６が回転されることがなくアダプター４、４Ａの装置本体２からの脱落を防止することができる。
【０１７６】
［本技術］
本技術は、以下のような構成にすることができる。
【０１７７】
（１）装置本体に設けられたマウント部に結合される結合部と操作されて所定の方向へ動作される操作レバーと前記操作レバーを支持するボデイとを備え、前記装置本体に対して位置合わせを行い全体を回転させることにより結合部をマウント部に結合して前記装置本体に装着するバヨネット結合方式と前記装置本体に対して位置合わせを行い前記操作レバーを操作することにより前記結合部を前記マウント部に結合して前記装置本体に装着するスピゴット結合方式との選択が可能とされたアクセサリー。
【０１７８】
（２）前記装置本体に対する前記位置合わせの指標を前記操作レバーに設けた前記（１）に記載のアクセサリー。
【０１７９】
（３）前記結合部が前記ボデイに回転自在に支持され、前記操作レバーと前記結合部が一体に回転可能とされ、前記ボデイの回転に伴って前記操作レバーを前記結合部が一体に回転されて前記バヨネット結合方式によって前記結合部が前記マウント部に結合されるようにし、前記操作レバーの操作により前記操作部と前記結合部が一体に回転されて前記スピゴット結合方式によって前記結合部が前記マウント部に結合されるようにした前記（１）又は前記（２）に記載のアクセサリー。
【０１８０】
（４）前記装置本体に設けられた規制部に係合されて前記装置本体に対する位置を規制する被規制部が設けられ、前記結合部が前記マウント部に結合されて前記装置本体に装着されたときに、前記被規制部が前記規制部に係合されて前記装置本体に対する位置が規制されるようにした前記（１）から前記（３）の何れかに記載のアクセサリー。
【０１８１】
（５）前記操作レバーが前記ボデイに対してロックされるロック位置と前記ボデイに対して回転可能とされる非ロック位置との間で操作可能とされ、前記操作レバーが前記ロック位置に存在する状態において、前記バヨネット結合方式によって前記結合部が前記マウント部に結合されて前記装置本体に装着されるようにした前記（３）又は前記（４）に記載のアクセサリー。
【０１８２】
（６）前記操作レバーが前記ボデイに対してロックされるロック位置と前記ボデイに対して回転可能とされる非ロック位置との間で操作可能とされ、前記操作レバーが操作されて前記ロック位置まで移動されて前記スピゴット結合方式によって前記結合部が前記マウント部に結合されて前記装置本体に装着されるようにした前記（３）又は前記（４）に記載のアクセサリー。
【０１８３】
（７）前記操作レバーの移動に伴って移動されるクリック球と、前記クリック球が転動される転動面を有し前記クリック球が嵌合可能な嵌合凹部が形成された固定部と、前記クリック球を前記転動面に押し付ける付勢バネとを設け、前記操作レバーが前記ロック位置に移動されたときに前記クリック球が前記嵌合凹部に嵌合されるようにした前記（６）に記載のアクセサリー。
【０１８４】
（８）マウント部が設けられた装置本体と、前記マウント部に結合される結合部と操作されて所定の方向へ動作される操作レバーと前記操作レバーを支持するボデイとを有するアクセサリーとを備え、前記装置本体に対して前記アクセサリーの位置合わせを行い全体を回転させることにより結合部をマウント部に結合して前記装置本体に装着するバヨネット結合方式と前記装置本体に対して前記アクセサリーの位置合わせを行い前記操作レバーを操作することにより前記結合部を前記マウント部に結合して前記装置本体に装着するスピゴット結合方式との選択が可能とされた撮像装置。
【０１８５】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１８６】
【図１】図２乃至図３６と共に本技術の最良の形態を示すものであり、本図は、撮像装置の斜視図である。
【図２】撮像装置の分解斜視図である。
【図３】装置本体の正面図である。
【図４】アダプターの斜視図である。
【図５】アダプターの背面図である。
【図６】操作レバー等を示す拡大分解斜視図である。
【図７】固定リングと可動リングと操作レバーを示す斜視図である。
【図８】操作レバー等を示す拡大斜視図である。
【図９】図１０乃至図１２と共にアダプターの装置本体に対するバヨネット結合方式による着脱時の動作を示すものであり、本図は、操作レバーが非ロック位置にあるときのロック片等の状態を一部を断面にして示す概略正面図である。
【図１０】アダプターが装置本体に位置合わせされた状態を一部を断面にして示す概略正面図である。
【図１１】アダプターが装置本体に対して回転されている途中の状態を一部を断面にして示す概略正面図である。
【図１２】アダプターが装置本体に装着された状態を一部を断面にして示す概略正面図である。
【図１３】図１４乃至図１９と共にアダプターの装置本体に対するスピゴット結合方式による着脱時の動作を示すものであり、本図は、操作レバーがロック位置にあるときのロック片等の状態を一部を断面にして示す概略正面図である。
【図１４】クリック球の一部が一方の嵌合凹部に嵌合された状態を示す拡大断面図である。
【図１５】アダプターが装置本体に位置合わせされた状態を一部を断面にして示す概略正面図である。
【図１６】操作レバーがロック位置へ向けて操作されている途中の状態を一部を断面にして示す概略正面図である。
【図１７】クリック球が固定リングを摺動されている状態を示す拡大断面図である。
【図１８】アダプターが装置本体に装着された状態を一部を断面にして示す概略正面図である。
【図１９】クリック球の一部が他方の嵌合凹部に嵌合された状態を示す拡大断面図である。
【図２０】図２１乃至図２５と共に操作レバーがロック位置と非ロック位置の間に存在する状態においてアダプターが装置本体に装着されるときの動作を示すものであり、本図は、アダプターが装置本体に位置合わせされた状態を一部を断面にして示す概略正面図である。
【図２１】アダプターが装置本体に対して回転された状態を一部を断面にして示す概略正面図である。
【図２２】操作レバーがロック位置まで操作されてアダプターが装置本体に装着された状態を一部を断面にして示す概略正面図である。
【図２３】操作レバーがロック位置まで操作された状態を一部を断面にして示す概略正面図である。
【図２４】アダプターが装置本体に対して回転されてアダプターが装置本体に装着された状態を一部を断面にして示す概略正面図である。
【図２５】図２１乃至図３０と共にアダプターの変形例を示すものであり、本図は、斜視図である。
【図２６】固定リングと可動リングと操作レバーを示す斜視図である。
【図２７】操作レバー等を示す拡大分解斜視図である。
【図２８】操作レバーにおける被操作部の拡大断面図である。
【図２９】図３０乃至図３５と共にアダプターの装置本体に対するスピゴット結合方式による着脱時の動作を示すものであり、本図は、操作レバーが第１のロック位置にあるときのアダプターの状態を示す斜視図である。
【図３０】クリック部材の係合部が第２の係合溝に係合されている状態を示す概略拡大断面図である。
【図３１】操作レバーが第１のロック位置にあるときに回動操作部が第１のロック用凹部から引き出された状態を示す斜視図である。
【図３２】クリック部材の係合部が第１の係合溝に係合されている状態を示す概略拡大断面図である。
【図３３】操作レバーが第２のロック位置へ向けて操作されている途中の状態を示す斜視図である。
【図３４】操作レバーが第２のロック位置まで操作され回動操作部が第２のロック用凹部に嵌合される前の状態を示す斜視図である。
【図３５】操作レバーが第２のロック位置まで操作されたときに回動操作部が第２のロック用凹部に嵌合された状態を示す斜視図である。
【図３６】撮像装置のブロック図である。
【符号の説明】
【０１８７】
１…撮像装置、２…装置本体、３…アクセサリー、４…アダプター、１０…マウントリング（マウント部）、１１ｂ…規制突部（規制部）、１８…ボデイ、２５…固定リング（固定部）、２５ｂ…嵌合凹部、２５ｃ…回転規制孔（被規制部）、２６…可動リング（結合部）、２９…操作レバー、３２…バネケース、３５…付勢バネ、３６…クリック球、３７ｂ…操作ピン（指標）、４Ａ…アダプター、１８Ａ…ボデイ、２９Ａ…操作レバー、４０…突部（指標）
【図１】
2013092556.tif 000003
【図２】
2013092556.tif 000004
【図３】
2013092556.tif 000005
【図４】
2013092556.tif 000006
【図５】
2013092556.tif 000007
【図６】
2013092556.tif 000008
【図７】
2013092556.tif 000009
【図８】
2013092556.tif 000010
【図９】
2013092556.tif 000011
【図１０】
2013092556.tif 000012
【図１１】
2013092556.tif 000013
【図１２】
2013092556.tif 000014
【図１３】
2013092556.tif 000015
【図１４】
2013092556.tif 000016
【図１５】
2013092556.tif 000017
【図１６】
2013092556.tif 000018
【図１７】
2013092556.tif 000019
【図１８】
2013092556.tif 000020
【図１９】
2013092556.tif 000021
【図２０】
2013092556.tif 000022
【図２１】
2013092556.tif 000023
【図２２】
2013092556.tif 000024
【図２３】
2013092556.tif 000025
【図２４】
2013092556.tif 000026
【図２５】
2013092556.tif 000027
【図２６】
2013092556.tif 000028
【図２７】
2013092556.tif 000029
【図２８】
2013092556.tif 000030
【図２９】
2013092556.tif 000031
【図３０】
2013092556.tif 000032
【図３１】
2013092556.tif 000033
【図３２】
2013092556.tif 000034
【図３３】
2013092556.tif 000035
【図３４】
2013092556.tif 000036
【図３５】
2013092556.tif 000037
【図３６】
2013092556.tif 000038